(57)【要約】【課題】本発明は、自筆証書遺言を正確かつ簡便に記載して作成し得るばかりではなく、その保管も容易かつ確実であり、かつ、必要なときに発見され易く、加えて、相続をめぐる相続人、例えば、家族の間での無用な争いを極力回避し得るエンディングノートを提供する。【解決手段】本発明は、遺言者の個人情報を記載する区画を備えたエンディングノートにおいて、更に、自筆証書遺言を記載する区画、該自筆証書遺言を瑕疵なく記載するためのマニュアルを記載した区画、及び、該自筆証書遺言の記載内容に関する遺言者の気持ちを記載する区画を組み合わせて成り、かつ、上記の自筆証書遺言を記載する区画、及び、上記の自筆証書遺言の記載内容に関する遺言者の気持ちを記載する区画は、いずれも記載して完成された後に密封されて、該エンディングノート内に収納され得ることを特徴とするエンディングノート。【選択図】図１
2016199027.tif 000002
【特許請求の範囲】
【請求項１】
遺言者の個人情報を記載する区画を備えたエンディングノートにおいて、更に、自筆証書遺言を記載する区画、該自筆証書遺言を瑕疵なく記載するためのマニュアルを記載した区画、及び、該自筆証書遺言の記載内容に関する遺言者の気持ちを記載する区画を組み合わせて成り、かつ、上記の自筆証書遺言を記載する区画、及び、上記の自筆証書遺言の記載内容に関する遺言者の気持ちを記載する区画は、いずれも記載して完成された後に密封されて、該エンディングノート内に収納され得ることを特徴とするエンディングノート。
【請求項２】
上記完成されて密封された自筆証書遺言を記載する区画及び自筆証書遺言の記載内容に関する遺言者の気持ちを記載する区画を収納した部分、並びに、上記の遺言者の個人情報を記載する区画のうち該遺言者以外の者に見られては困る部分を一体的に閉じ込む手段を備えた、請求項1記載のエンディングノート。
【請求項３】
上記の一体的に閉じ込む手段が、該エンディングノートの背部分を綴じる二重コイルと、該二重コイルに綴じられた２枚１組の金属製又はプラスチック製板状物と、該板状物同士を閉じ合わせる鍵手段とから構成され、ここで、上記完成されて密封された自筆証書遺言を記載する区画及び自筆証書遺言の記載内容に関する遺言者の気持ちを記載する区画を収納した部分、並びに、上記の遺言者の個人情報を記載する区画のうち該遺言者以外の者に見られては困る部分が、上記の２枚１組の金属製又はプラスチック製板状物により両側から挟まれかつ鍵手段により閉じ合わされて、一体的に閉じ込まれる、請求項２記載のエンディングノート。
【請求項４】
上記の遺言者以外の者に見られては困る部分が、財産に関する事項を記載した部分及び火葬後の遺骨の取り扱いを記載した部分である、請求項２又は３記載のエンディングノート。
【請求項５】
上記の自筆証書遺言を瑕疵なく記載するためのマニュアルを記載した区画が、別冊として組み合わされて成り、エンディングノート内に備えられた、自筆証書遺言を記載する区画と、該自筆証書遺言の記載内容に関する遺言者の気持ちを記載する区画とが見開きに配置されている、請求項1〜４のいずれか一つに記載のエンディングノート。
【請求項６】
上記の自筆証書遺言を記載する区画、及び、上記の自筆証書遺言の記載内容に関する遺言者の気持ちを記載する区画が複数存在する、請求項1〜５のいずれか一つに記載のエンディングノート。
【請求項７】
上記の自筆証書遺言を記載する区画、及び、上記の自筆証書遺言の記載内容に関する遺言者の気持ちを記載する区画は、いずれもエンディングノート又は別冊から切り離され得る状態で存在し、更に、遺言者が、上記の自筆証書遺言、及び、上記の自筆証書遺言の記載内容に関する気持ちを記載して完成した後に、それらを別々に収納して密封し得る複数の封筒を備える、請求項1〜６のいずれか一つに記載のエンディングノート。
【発明の詳細な説明】
【技術分野】
【０００１】
本発明は、エンディングノートに関し、更に詳しくは、自筆証書遺言を記載する区画及び自筆証書遺言の記載内容に関する遺言者の気持ちを記載する区画等を組み合わせて成る遺言証書収納式エンディングノートに関する。
【背景技術】
【０００２】
従来、エンディングノートは、とりわけ、お年寄りが、近い将来死亡する場合に備えて所定の事柄を記載するものとして知られていた。ここで、エンディングノートとは、自らの情報、例えば、氏名、住所、本籍等の基本情報、預貯金、不動産、保険等の資産に関する情報、家族や親族等に関する情報、葬儀やお墓に関する情報、遺言に関する情報等を生前に予め記録しておくものである。そして、それにより、死後における種々の手続きを円滑に進め得るという効果を有していた。しかし、このようなエンディングノートは、それなりに有効ではあるものの、とりわけ、遺言に関しては、何の効力も生ずるものではなかった。
【０００３】
遺言に関しては、別途、弁護士等の専門家に依頼して、死後において有効な遺言書を作成する必要があった。しかし、遺言書は、その作成方法が難しく面倒であること、また、作成に際して、弁護士等の専門家に相談したり、証人や公証人を立てる必要がある場合があるなど、種々の面倒さもあった。そのようなわけで、遺言書を作成しなければならないという意思はあるものの、なかなか作成に取りかかることができないというのが現状である。遺言が存在しない場合には、相続人の間の話し合い、又は、法律に基づいて遺産相続がなされるものの、実態に合わないことも多々あり、相続人、例えば、家族の間での争いが生ずることも多かった。
【０００４】
そこで、遺言書の作成を容易にし、かつ、正確に記載すべく、例えば、遺言者の氏名記載欄、遺言者の住所記載欄、作成年月日記載欄、財産目録記載欄及び相続人毎の財産目録記載欄を設けたことを特徴とする書き込み式秘密遺言証書（特許文献１）、表紙と内容表示区画とにより書籍状に形成した本体と、該本体における内容表示区画に記入する遺言者の遺言宣言区画と、前記内容表示区画に記入する遺言者の伝達事項の記入区画とを備えさせたことを特徴とする記入式遺言書（特許文献２）、自分の足跡や、 人生の思い出や、 子供達や縁者に対する希望や願いを綴れる本形式のノート本体にあって、少なくともその見開き部分には、遺言とその方式の説明及び遺言のフォームや入力手段や、 各地相談所、 公証人役場との連絡手段があり、他に法的な書式に則とった遺言書のページが掲載されていることを特徴とした遺言ノート（特許文献３）等が知られている。しかし、これらは、単に遺言書を簡便かつ正確に記載することを目的とするためのものである。また、このような遺言書があるからと言って、相続をめぐり相続人、例えば、家族の間での争いがなくなるというわけではなく、依然として争いは絶えなかった。また、これらには、このような相続人の間の争いに関して、何らかの手当がなされているというものでもない。
【先行技術文献】
【特許文献】
【０００５】
【特許文献１】登録実用新案第３０３９７８４号公報
【特許文献２】登録実用新案第３０５９５３３号公報
【特許文献３】特開２００６−２２４３５３号公報
【発明の概要】
【発明が解決しようとする課題】
【０００６】
本発明は、自筆証書遺言を正確かつ簡便に記載して作成し得るばかりではなく、その保管も容易かつ確実であり、かつ、必要なときに発見され易く、加えて、財産（遺産）相続（配分）をめぐる相続人、例えば、家族の間での無用な争いを極力回避し得るエンディングノートを提供するものである。
【課題を解決するための手段】
【０００７】
本発明者は、上記課題を解決するためにはいかなる手段を採用するべきかに関して、種々の検討を重ねた。遺言書には、大別して、公正証書遺言、秘密証書遺言及び自筆証書遺言がある。公正証書遺言は、確実性には優れるものの、反面作成が面倒であり簡便性に欠ける。また、公証人や証人を立てなければならない。秘密証書遺言は、公正証書遺言に比べれば簡便ではあるものの、やはり公証人や証人を立てなければならず、簡便性に欠ける。これらに対して、自筆証書遺言は、公証人や証人を立てる必要はなく簡便である。その一方、かかる自筆証書遺言は、遺言者が自ら全てを自筆で記載する必要がある。従って、遺言の内容を第三者に知られ難いという利点はあるものの、その作成方法、記載方法は、一般にあまり周知されておらず、書き方が分からないなどの問題点も多い。それに伴って、遺言の確実性にも劣るという欠点がある。加えて、作成した自筆証書遺言が確実に保管され、そして、所定の時点において首尾よく発見され得るかという問題もある。
【０００８】
そこで、本発明者は、現在広く普及している、いわゆるエンディングノートに自筆証書遺言を組み合わせて備えるようにすれば、作成した自筆証書遺言の保管も容易であり、遺言者（被相続人）の死後に発見もされ易いと考えた。しかし、折角、エンディングノート中に自筆証書遺言を組み合わせても、遺言者がその作成方法、記載方法を理解していないのでは何ら意味がない。そこで、エンディングノートに、自筆証書遺言を記載する区画に加えて、自筆証書遺言を瑕疵なく記載するためのマニュアルを記載した区画を組み合わせることを思いついた。このようにしておけば、遺言者は、そのマニュアルに基づいて、確実に自筆証書遺言を完成することができる。
【０００９】
次に、本発明者は、遺言に関して、財産（遺産）相続（配分）をめぐる相続人、例えば、家族の間での争いを極力回避するためには、どのような方策を施せばよいかを検討した。財産相続をめぐり相続人の間での争いを回避するためには、そのような相続、例えば、財産配分になった理由を説明することが第一であると考えた。しかし、そのような財産配分になった理由を説明しなければならない人、即ち、遺言者（被相続人）は、相続時には既に死亡しており存在していない。もし、存在していれば十分な説明をすることにより、少なからず、相続人の間での無用な争いを避けることができると考えられる。
【００１０】
そこで、本発明者は、エンディングノートに、自筆証書遺言と共に、自筆証書遺言の記載内容に関する遺言者の気持ちを記載した書面を収納しておけば、財産相続時にその内容を各相続人が見て知ることにより、少なからず財産配分に関する遺言者の気持ち、想いを知ることができると考えた。そして、それにより、従来生じていた相続人、例えば、家族の間での無用な争いを極力回避し得るのではないかと考え、エンディングノートに、更に、自筆証書遺言の記載内容に関する遺言者の気持ちを記載する区画を設けることを思いつき、本発明を完成した。好ましくは、自筆証書遺言を記載する区画と自筆証書遺言の記載内容に関する遺言者の気持ちを記載する区画とを、エンディングノート中に見開き、即ち、左右２頁に向き合った状態で配置すれば、遺言者（被相続人）がより的確に自らの気持ちを記載することができる。
【００１１】
加えて、本発明者は、従来のエンディングノートが広く普及しない理由がどこにあるのかを検討したところ、エンディングノート中に一般的に記載される自らの情報であっても、生前には家族、たとえ、配偶者であっても知られたくない情報が存在するという事実があることに行き当たった。その一方、エンディングノートは、自らの死後、家族により容易に発見してもらえなければ何ら意味がない故、誰でも容易に発見し得るところに保管しておきたい。従って、知られたくない情報に関しては、エンディングノート中に書くことができないという矛盾があり、かかる理由からエンディングノートが広く普及していないと考えた。そこで、本発明者は、好ましくは、エンディングノートに、例えば、鍵をつけて、知られたくない情報に関しては、エンディングノート中に一体的に閉じ込むことにより、たとえ、家族であっても見ることができないように工夫すれば、上記矛盾を解決することができて、より一層のエンディングノートの普及に貢献し得ると考えた。
【００１２】
即ち、本発明は、
（１）遺言者の個人情報を記載する区画を備えたエンディングノートにおいて、更に、自筆証書遺言を記載する区画、該自筆証書遺言を瑕疵なく記載するためのマニュアルを記載した区画、及び、該自筆証書遺言の記載内容に関する遺言者の気持ちを記載する区画を組み合わせて成り、かつ、上記の自筆証書遺言を記載する区画、及び、上記の自筆証書遺言の記載内容に関する遺言者の気持ちを記載する区画は、いずれも記載して完成された後に密封されて、該エンディングノート内に収納され得ることを特徴とするエンディングノートである。
【００１３】
好ましい態様として、
（２）上記完成されて密封された自筆証書遺言を記載する区画及び自筆証書遺言の記載内容に関する遺言者の気持ちを記載する区画を収納した部分、並びに、上記の遺言者の個人情報を記載する区画のうち該遺言者以外の者に見られては困る部分を一体的に閉じ込む手段を備えた、上記（1）記載のエンディングノート、
（３）上記の一体的に閉じ込む手段が、該エンディングノートの背部分を綴じる二重コイルと、該二重コイルに綴じられた２枚１組の金属製又はプラスチック製板状物と、該板状物同士を閉じ合わせる鍵手段とから構成され、ここで、上記完成されて密封された自筆証書遺言を記載する区画及び自筆証書遺言の記載内容に関する遺言者の気持ちを記載する区画を収納した部分、並びに、上記の遺言者の個人情報を記載する区画のうち該遺言者以外の者に見られては困る部分が、上記の２枚１組の金属製又はプラスチック製板状物により両側から挟まれかつ鍵手段により閉じ合わされて、一体的に閉じ込まれる、上記（２）記載のエンディングノート、
（４）上記の遺言者以外の者に見られては困る部分が、財産に関する事項を記載した部分及び火葬後の遺骨の取り扱いを記載した部分である、上記（２）又は（３）記載のエンディングノート、
（５）上記の自筆証書遺言を記載する区画、該自筆証書遺言を瑕疵なく記載するためのマニュアルを記載した区画、及び、該自筆証書遺言の記載内容に関する遺言者の気持ちを記載する区画のいずれか一つ以上が、別冊として組み合わされて成る、上記（１）〜（４）のいずれか一つに記載のエンディングノート、
（６）上記の自筆証書遺言を記載する区画、及び、該自筆証書遺言の記載内容に関する遺言者の気持ちを記載する区画が、別冊として組み合わされて成る、上記（１）〜（４）のいずれか一つに記載のエンディングノート、
（７）上記の自筆証書遺言を記載する区画と、該自筆証書遺言の記載内容に関する遺言者の気持ちを記載する区画とが見開きに配置されている、上記（１）〜（６）のいずれか一つに記載のエンディングノート、
（８）上記の自筆証書遺言を瑕疵なく記載するためのマニュアルを記載した区画が、別冊として組み合わされて成り、エンディングノート内に備えられた、自筆証書遺言を記載する区画と、該自筆証書遺言の記載内容に関する遺言者の気持ちを記載する区画とが見開きに配置されている、上記（１）〜（４）のいずれか一つに記載のエンディングノート、
（９）上記の自筆証書遺言を記載する区画、及び、上記の自筆証書遺言の記載内容に関する遺言者の気持ちを記載する区画が複数存在する、上記（１）〜（８）のいずれか一つに記載のエンディングノート、
（１０）上記の自筆証書遺言を記載する区画、及び、上記の自筆証書遺言の記載内容に関する遺言者の気持ちを記載する区画は、いずれもエンディングノート又は別冊から切り離され得る状態で存在し、更に、遺言者が、上記の自筆証書遺言、及び、上記の自筆証書遺言の記載内容に関する気持ちを記載して完成した後に、それらを別々に収納して密封し得る複数の封筒を備える、上記（１）〜（９）のいずれか一つに記載のエンディングノート、
（１１）上記のエンディングノート内に公正証書遺言が更に収納され得る、上記（１）〜（１０）のいずれか一つに記載のエンディングノート
を挙げることができる。
【発明の効果】
【００１４】
本発明のエンディングノートによれば、自筆証書遺言を正確かつ簡便に記載して作成し得るばかりではなく、その保管も容易かつ確実であり、かつ、必要なときに発見され易く、加えて、自筆証書遺言に記載された財産（遺産）相続（配分）の内容と、該財産（遺産）相続（配分）に関する遺言者（被相続人）の気持ちとを同時に知ることができることから、財産（遺産）相続（配分）をめぐる相続人、例えば、家族の間での争いを極力回避し得る。好ましくは、自筆証書遺言を記載する区画と、該自筆証書遺言の記載内容に関する遺言者の気持ちを記載する区画とを見開きに配置することにより、遺言者（被相続人）がより正確かつ明確に、財産（遺産）相続（配分）の内容と、それに関する自らの気持ちとを記載することができる。更には、自筆証書遺言に記載された財産（遺産）相続（配分）の内容と、該財産（遺産）相続（配分）に関する遺言者（被相続人）の気持ちとを記載した部分、並びに、遺言者以外の者に見られては困る部分、例えば、財産に関する事項を記載した部分及び火葬後の遺骨の取り扱いを記載した部分等に関して、他人から見ることができないような手段を採用したことにより、該エンディングノートを手軽に活用することができ利用促進を図ることができる。
【図面の簡単な説明】
【００１５】
【図１】図１は、本発明のエンディングノートの一実施態様を示した概略図である。
【図２】図２は、本発明のエンディングノートの表紙の他の実施態様を示した概略図である。
【発明を実施するための形態】
【００１６】
本発明のエンディングノートは、遺言者（被相続人）の個人情報を記載する区画を備えることに加えて、更に、自筆証書遺言を記載する区画、該自筆証書遺言を瑕疵なく記載するためのマニュアルを記載した区画、及び、該自筆証書遺言の記載内容に関する遺言者の気持ちを記載する区画を組み合わせて成るものである。ここで、自筆証書遺言を記載する区画とは、遺言者（被相続人）が自筆証書遺言を記載して作成するための区画であり、自筆証書遺言を瑕疵なく記載するためのマニュアルを記載した区画とは、上記の自筆証書遺言を瑕疵なく作成するためのマニュアルを記載した区画であり、自筆証書遺言の記載内容に関する遺言者の気持ちを記載する区画とは、自筆証書遺言に記載した各相続人への財産（遺産）相続（配分）等の内容に関する、遺言者（被相続人）の気持ちや想いを記載する区画である。また、遺言者の個人情報を記載する区画とは、市販されているエンディングノートに通常備えられているものであり、例えば、遺言者（被相続人）自身の基本情報、即ち、氏名、住所、本籍等に関する情報、資産に関する情報、即ち、預貯金、不動産、保険等に関する情報、家族や親族等に関する情報、葬儀やお墓に関する情報、例えば、自らの遺骨を埋葬して欲しいお墓の特定等の一般的な情報を記載する区画である。本発明のエンディングノートにおいては、上記の各区画は、一冊のエンディングノート中に備えられていることが好ましい。しかし、上記の自筆証書遺言を記載する区画、該自筆証書遺言を瑕疵なく記載するためのマニュアルを記載した区画、及び、該自筆証書遺言の記載内容に関する遺言者の気持ちを記載する区画のいずれか一つ以上が、別冊として組み合わされて成るものでもよく、また、上記の自筆証書遺言を記載する区画、及び、該自筆証書遺言の記載内容に関する遺言者の気持ちを記載する区画が、別冊として組み合わされて成るものであってもよい。例えば、遺言者の個人情報を記載する区画と自筆証書遺言を瑕疵なく記載するためのマニュアルを記載した区画とを備えたエンディングノートに、その他区画、即ち、自筆証書遺言を記載する区画と自筆証書遺言の記載内容に関する遺言者の気持ちを記載する区画とが別冊になって組み合わされているものが挙げられる。この場合、別冊において、自筆証書遺言を記載する区画と、該自筆証書遺言の記載内容に関する遺言者の気持ちを記載する区画とが見開きに配置されていることが好ましい。あるいは、遺言者の個人情報を記載する区画と、自筆証書遺言を記載する区画及び自筆証書遺言の記載内容に関する遺言者の気持ちを記載する区画とが、エンディングノートに備えられており、自筆証書遺言を瑕疵なく記載するためのマニュアルを記載した区画が別冊になって組み合わされているものが挙げられる。この場合においても、自筆証書遺言を記載する区画と、該自筆証書遺言の記載内容に関する遺言者の気持ちを記載する区画とが見開きに配置されていることが好ましい。このように見開きに配置することにより、遺言者（被相続人）がより正確かつ明確に、財産（遺産）相続（配分）の内容と、それに対応する自らの気持ちとを記載することができる。加えて、自筆証書遺言を瑕疵なく記載するためのマニュアルを記載した区画を別冊にすることにより、マニュアルを参照しながら自筆証書遺言を記載することができるばかりではなく、同時に自筆証書遺言の記載内容に関する遺言者の気持ちを記載することができることから、より正確に自筆証書遺言及び遺言者の気持ちを記載することが可能となる。
【００１７】
遺言者（被相続人）は、自筆証書遺言を瑕疵なく記載するためのマニュアルを記載した区画に、分かり易く丁寧に記載されたマニュアルに基づきながら、自筆証書遺言を記載する区画に、遺言を自筆で順次記載していくことができる。該マニュアルには、自筆証書遺言の記載方法が、順序を追って分かり易く記載されているので、遺言者は、その順序に従って、遺言を該区画に記載していけばよい。自筆証書遺言を記載する区画は、通常、白紙又は罫線のみが印刷されている用紙である。別冊として、組み合わされる場合には、該区画は罫線のみが印刷されている便箋等であることができる。自筆証書遺言を瑕疵なく記載するためのマニュアルには、例えば、遺言は全て自筆で記載し、他人に書かせたり、ワープロ、パソコン等を使用して記載してはならないこと、筆記用具は文字が消えたり不鮮明にならないようにボールペン等を使用すること、文字は判読可能なように、可能な限りきれいにかつ丁寧に記載すること、遺言を作成した年月日を記載すること、署名及び押印をすること、記載事項の訂正方法等の自筆証書遺言を記載するために最低限必要な事項のほか、土地、建物等の不動産、預貯金、金銭等の分配等の記載方法について分かり易く記載されている。
【００１８】
上記のようにマニュアルに基づいて、自筆証書遺言を記載して完成した後に、自筆証書遺言を記載する区画をエンディングノート又は別冊から切り離して分離する。通常、例えば、はさみ、カッター等で容易に切り離すことができる。好ましくは、自筆証書遺言を記載する区画は、エンディングノートから切り離された状態、又は、切り離され得る状態で存在している。ここで、該区画が切り離され得る状態で存在しているとは、例えば、切り取り線（ミシン目）等により容易に切り離すことができる状態になっていることをいう。また、切り離された状態とは、該区画が別冊になっているものを含む。切り離された、自筆証書遺言を記載する区画、即ち、既に記載された自筆証書遺言は、次いで、好ましくは、エンディングノートに備えられている封筒に入れられて密封され、エンディングノート内に収納される。好ましくは、エンディングノートの末尾（最終頁）には、これを収納する大きな封筒が備えられているので、その中に収納することができる。自筆証書遺言を収納した封筒には、既に記載された自筆証書遺言を入れた後に、自筆証書遺言に押印したものと同一の印鑑を使用して密封後押印する。
【００１９】
遺言者は、自筆証書遺言の記載内容に関する遺言者の気持ちを記載する区画に、自筆証書遺言に記載した内容に関する自らの気持ちや想いを記載する。該記載は、既に記載された自筆証書遺言を封筒中に密封して押印する前に行うことが好ましい。一度、自筆証書遺言を封筒中に密封して押印してしまうと、遺言に記載した内容を正確に思い出すことができない場合などには、再度、自筆証書遺言を封筒から取り出す必要があるなどの不都合が生ずることがある。自筆証書遺言の記載内容に関する遺言者の気持ちを記載する区画には、例えば、長男には、如何なる理由で、そのように財産（遺産）相続（配分）にして相続させたのか等、被相続人の長男に対する気持ちや想いを記載することができる。そして、このような気持ちや想いを、各相続人のために記載することにより、遺言者（被相続人）の死後、相続の際に被相続人の、各相続人に対する気持ち、想いを正確に伝えることができて、相続人の間の無用な争いを極力回避することができる。該自筆証書遺言の記載内容に関する遺言者の気持ちを記載する区画は、好ましくは、複数存在している。これにより、夫々の区画に、夫々の相続人のための遺言者の気持ちや想いを別々に記載することができる。もちろん、単一の区画に、全ての相続人に対する遺言者の気持ちや想いをまとめて記載することもできる。
【００２０】
上記のようにして、自筆証書遺言の記載内容に関する遺言者の気持ちを記載する区画に、遺言者が自らの気持ちや想いを記載した後に該区画を密封する。密封は、好ましくは、該区画に設けられているシール等により、好ましくは、複数の区画ごとに夫々密封することができる。例えば、エンディングノートを開いたときの左右両側の頁を一対として、それらの頁を、自筆証書遺言の記載内容に関する遺言者の気持ちを記載する区画として使用し、左右両側の頁のいずれか一方に、閉じられていない３辺に沿って設けられた剥離紙付き粘着シールの剥離紙を取り除いて、左右両側の頁をその３辺で貼り合わせて密封することができる。通常、自筆証書遺言の記載内容に関する遺言者の気持ちを記載する区画を、エンディングノートから切り離して分離し、別途、封筒に収納して密封することが好ましい。エンディングノートからの分離は、通常、上記の自筆証書遺言を記載する区画と同様に、例えば、はさみ、カッター等で容易に切り離すことにより実施することができる。好ましくは、該区画は、エンディングノートから切り離された状態、又は、切り離され得る状態で存在している。ここで、該区画が切り離され得る状態で存在しているとは、上記の自筆証書遺言を記載する区画と同様に、例えば、切り取り線（ミシン目）等で容易に切り離すことができる状態のことをいう。また、切り離された状態とは、該区画が別冊になっているものを含む。切り離された、自筆証書遺言の記載内容に関する遺言者の気持ちを記載する区画、即ち、既に記載された自筆証書遺言の記載内容に関する遺言者の気持ちは、自筆証書遺言とは別に、好ましくは、エンディングノートに備えられている封筒に入れられて密封され、エンディングノート内に収納される。該遺言者の気持ちの記載は、自筆証書遺言と同様に、エンディングノートの末尾（最終頁）に備えられている大きな封筒に収納されることが好ましい。これにより、相続人は、遺言者（被相続人）が記載した自筆証書遺言と、それに記載された財産（遺産）相続（配分）の内容に関する遺言者の気持ち、想いを同時に知ることができる。
【００２１】
上記のようにして、遺言者（被相続人）は、自筆証書遺言と、それに記載された財産（遺産）相続（配分）の内容に関する遺言者の気持ち、想いを、本発明のエンディングノート内に納めることができる。遺言者（被相続人）が、このような、自筆証書遺言と、それに記載された財産（遺産）相続（配分）の内容に関する遺言者の気持ち、想いを記しておこうと考える時期としては、第一に、自らの死期を悟った時である。しかし、それに限られることはなく、例えば、婚姻時、不動産購入時、子供が生まれた時、相続時等の種々の時が考えられる。例えば、婚姻時にあっては自らの財産を配偶者により多く相続させたいと思うこともある。かかる場合に、本発明のエンディングノートを活用して、自筆証書遺言と、それに記載された財産（遺産）相続（配分）の内容に関する遺言者の気持ち、想いを記載しておくこともできる。従って、本発明のエンディングノートの、大きな封筒が備えられている頁を、複数、好ましくは３〜５頁備えておくこともできる。その場合には、それに併せて、自筆証書遺言を記載する区画、及び、自筆証書遺言の記載内容に関する遺言者の気持ちを記載する区画も複数備えておくことが好ましい。これにより、上記の各時期において、遺言者（被相続人）は、自筆証書遺言と、それに記載された財産（遺産）相続（配分）の内容に関する遺言者の気持ち、想いを、順次、書き換えていくことが可能となる。この際、これらを収納する大きな封筒には、それらの自筆証書遺言等を記載した日付を記しておくこともできる。それにより、いずれの自筆証書遺言等が最も新しいものかを容易に知ることができる。
【００２２】
また、本発明のエンディングノートは、完成されて密封された自筆証書遺言を記載する区画、即ち、完成された自筆証書遺言、及び、完成されて密封された、自筆証書遺言の記載内容に関する遺言者の気持ちを記載する区画、即ち、完成された、自筆証書遺言の記載内容に関する遺言者の気持ちを記載した書面を収納した部分、例えば、これらが収納された封筒部分、並びに、遺言者の個人情報を記載する区画のうち該遺言者以外の者に見られては困る部分、例えば、財産に関する事項を記載した部分、及び、火葬後の遺骨の取り扱いを記載した部分、例えば、配偶者と同一の墓には遺骨を埋葬して欲しくない等を記載した部分等を一体的に閉じ込む手段を備えることができる。例えば、エンディングノートの表紙と裏表紙、又は、上記の第三者に見られたくない部分の最初と最後に設けられた頑丈な頁をチャック等で一体に閉じることができ、かつ、閉じたチャックを開くことができないように鍵をかける方式が考えられる。あるいは、後述する図２に示したように、表紙及び裏表紙、又は、上記の頑丈な頁の一部が外側に突出しており、かつ、それらに設けられた穴を通して表紙及び裏表紙等に鍵をかける方式が考えられる。好ましくは、一体的に閉じ込む手段は、該エンディングノートの背部分を綴じる二重コイルと、該二重コイルに綴じられた２枚１組の金属製又はプラスチック製板状物と、該板状物同士を閉じ合わせる鍵手段とから構成される。該二重コイルは容易に破壊することができたり、取り外すことでできたりするものであってはならず、好ましくは頑丈な金属又はプラスチック製である。ここで、完成されて密封された自筆証書遺言を記載する区画及び自筆証書遺言の記載内容に関する遺言者の気持ちを記載する区画を収納した部分、並びに、遺言者の個人情報を記載する区画のうち該遺言者以外の者に見られては困る部分が、上記の２枚１組の金属製又はプラスチック製板状物により両側から挟まれかつ鍵手段により閉じ合わされて、一体的に閉じ込まれる。これにより、エンディングノートの記載内容を第三者に知られること、及び、自筆証書遺言等の紛失を回避することができる。
【００２３】
以下、本発明のエンディングノートを図面に基づいて説明する。図１は、本発明のエンディングノートの一実施態様を示した概略図である。図１中、（Ａ）は、エンディングノートの表紙である。該表紙には、エンディングノートの名称（５）が記載され、加えて、遺言証書、例えば、自筆証書遺言が収納されていることが一目で分かるように『「遺言証書」在中』又は『「自筆証書遺言」在中』の文字が朱書されている。（Ｂ）は、遺言者の個人情報を記載する区画であり、一例として、遺言者（被相続人）の氏名、住所等の基本情報を記載する欄を示している。（Ｃ）は、自筆証書遺言を記載する区画であり、通常罫線のみが印刷されている紙又は白紙である。該区画には、遺言を記載した後に該区画をエンディングノートから切り離すことができるように切り取り線（ミシン目）（１）が設けられている。（Ｄ）は、自筆証書遺言を瑕疵なく記載するためのマニュアルを記載した区画であり、自筆証書遺言の記載方法が分かり易く記載されている。（Ｅ）は、自筆証書遺言の記載内容に関する遺言者の気持ちを記載する区画であり、自筆証書遺言を記載する区画（Ｃ）と同様に、記載した後に該区画をエンディングノートから切り離すことができるように切り取り線（ミシン目）（１）が設けられている。（Ｅ）は、罫線のみが印刷れている紙又は白紙であってもよいが、本実施態様においては、遺言者の気持ちの記載の仕方などのガイドラインが該頁の下部に記載されている。これを参考にすることにより、遺言者が自らの気持ちを余すことなく記載することができる。（Ｆ）は、最終頁、即ち、裏表紙裏（表３）を示したものである。（Ｆ）には、大きな封筒（３）が一つ貼付されており、その中には２つの封筒（２）が備えられている。そのうち、自筆証書遺言を記載した区画（自筆証書遺言）を収納する封筒には、封筒の表面に「遺言書在中  開封厳禁」と印字されており、かつ、同一の封筒の裏面に「開封厳禁  私の死後、この遺言書は開けずに家庭裁判所に提出し、検認を受けること、ΔΔΔΔ年ΔΔ月ΔΔ日、氏名  ΔΔΔΔ」と印字されている。また、他の一つの封筒、即ち、自筆証書遺言の記載内容に関する遺言者の気持ちを記載した区画（自筆証書遺言の記載内容に関する遺言者の気持ちを記載した書面）を収納する封筒には、封筒の表面に「残された家族へ  私の想い」と印字されており、かつ、封筒の裏面に「家族全員にて開封して下さい。ΔΔΔΔ年ΔΔ月ΔΔ日  氏名ΔΔΔΔ」と印字されている。これら２つの封筒（２）には、完成した自筆証書遺言、及び、各相続人への遺言者の気持ちを記載した書面が別々に納められる。また、この実施態様においては、エンディングノート自体が日記帳を兼ねることができるように、エンディングノート内の適切な箇所に日記を記載する区画が設けられている。例えば、日記を記載する区画には、遺言者が日々の出来事やそれらの出来事にまつわる感謝の気持ちを、その時々に記載することができる。それにより、遺言者は、生前に相続人に対する気持ちを余すことなく書き記すことができ、一方、相続人は、遺言者の気持ちを的確に知ることができる。これにより、更に、相続人の間の無用な争いを回避し得る。また、このような区画を設けることにより、遺言者が自らの��持ちを忘れることなくかつもれることなく記載して伝えることができる。
【００２４】
遺言者（被相続人）は、遺言者の個人情報を記載する区画（Ｂ）に、自らに関する一般的な個人情報を記載する。例えば、氏名、住所、本籍等に関する情報、資産に関する情報、即ち、預貯金、不動産、保険等に関する情報、家族や親族等に関する情報、葬儀やお墓に関する情報等の一般的な情報である。該区画には、少なくとも、氏名、住所、本籍等に関する情報等の必要最小限の情報を記載しておく必要がある。さもなければ、このエンディングノートが何人のものかを知ることができないこともあり得、折角記載した自筆証書遺言を、必要なときに見てもらえないなどの不都合を生ずることがあり得る。
【００２５】
遺言者（被相続人）は、次いで、自筆証書遺言を記載する区画（Ｃ）に遺言を記載する。もちろん、全て自筆で記載しなければならない。該自筆証書遺言の記載方法は、自筆証書遺言を瑕疵なく記載するためのマニュアルを記載した区画（Ｄ）に記載されている。従って、該マニュアルに従って、容易に記載して完成することができる。次いで、遺言者は、自筆証書遺言の記載内容に関する遺言者の気持ちを記載する区画（Ｅ）に、自筆証書遺言を記載する区画（Ｃ）に記載した各相続人に対する財産（遺産）相続（配分）の内容に関する、遺言者（被相続人）の気持ちや想いを記載する。該区画は、遺言者が自らの意志で自由に記載することができるものであるが、自らの気持ちを余すことなく記載し得るように、記載方法のガイドラインが区画（Ｅ）に記載されている。該ガイドラインは、自筆証書遺言を瑕疵なく記載するためのマニュアルを記載した区画（Ｄ）に記載することも可能である。
【００２６】
上記のようにして、自筆証書遺言を記載する区画（Ｃ）に遺言を記載して完成し、かつ、自筆証書遺言の記載内容に関する遺言者の気持ちを記載する区画（Ｅ）に各相続人に対する財産（遺産）相続（配分）の内容に関する遺言者（被相続人）の気持ちや想いを記載した後、これらを切り取り線（ミシン目）（１）によりエンディングノートから切り離す。そして、最終頁（Ｆ）に備えられている上記の夫々の封筒（２）に、これらを別々に収納して密封する。密封に際して、とりわけ、自筆証書遺言を記載した区画（Ｃ）（自筆証書遺言）を収納した封筒に関しては、自筆証書遺言を記載する区画（Ｃ）に押印したと同一の印鑑を使用して押印する。次いで、これらの封筒（２）を、最終頁（Ｆ）に備えられている大きな封筒（３）に入れる。この大きな封筒（３）には、その封筒の表面に「自筆遺言証書在中  この封筒には法的効力を有する遺言書が入っており、封印してある遺言書を家庭裁判所に提出して検認しなかったり、勝手に開封すると５万円以下の過料に処せられます。また、遺言書を偽造、変造、破棄、隠匿した者は相続人にはなれません。取扱いには十分注意して下さい。開封の際は、担当弁護士にご相談下さい。」と朱書されている。また、同一の文章が記載された書面が、この大きな封筒（３）の中に収納されている。該大きな封筒は、自筆証書遺言を記載した区画（Ｃ）（自筆証書遺言）を収納した封筒、及び、自筆証書遺言の記載内容に関する遺言者の気持ちを記載した区画（Ｅ）（自筆証書遺言の記載内容に関する遺言者の気持ち）を収納した封筒を収納した後に、封印することが好ましい。
【００２７】
図２は、本発明のエンディングノートの表紙の他の実施態様を示した概略図である。上記の態様と同様にエンディングノートの名称が記載されており、かつ、自筆証書遺言が同封されている旨の記載がある。また、該態様においては、表紙の下部に名刺入れ（４）が設けられており、担当弁護士又は担当税理士等の名刺を入れることができるようになっている。名刺入れに代えて所定の連絡先を記載しておくこともできる。これにより、相続人は直ちに担当弁護士又は担当税理士等あるいは所定の連絡先に連絡をすることができ、的確かつ容易な対応を取ることができる。また、該態様においては、表紙及び裏表紙の一部が外側に突出しており、かつ、それらに開けられた鍵穴（６）を通して表紙及び裏表紙に鍵をかけるようになっている。該鍵は、上記のように、遺言者（被相続人）の生前においても第三者に見られたくない箇所、例えば、財産に関する事項を記載した部分及び火葬後の遺骨の取り扱いを記載した部分、並びに自筆証書遺言及びその記載内容に関する遺言者の気持ちを記載した書面を収納した封筒部分にのみすることも可能である。もちろん、このような鍵を設けた場合には、エンディングノート自体が容易に破壊され得るものであってはならない。従って、鍵をかける部分は頑丈な材質、例えば、金属、プラスチック等で作成されており、エンディングノート内の各頁は容易に破壊又は取り外されることがないように、例えば、金属製又はプラスチック製の二重コイル等により頑丈に綴じられていることが好ましい。
【産業上の利用可能性】
【００２８】
本発明のエンディングノートによれば、自筆証書遺言を正確かつ簡便に記載して作成し得るばかりではなく、その保管も容易であり、かつ、必要なときに発見され易く、加えて、相続をめぐる相続人、例えば、家族の間での争いを極力回避し得る。従って、今後、公正証書遺言や秘密証書遺言に代わって、大いに利用されることが期待される。
【符号の説明】
【００２９】
Ａ  エンディングノートの表紙
Ｂ  遺言者の個人情報を記載する区画
Ｃ  自筆証書遺言を記載する区画
Ｄ  自筆証書遺言を瑕疵なく記載するためのマニュアルを記載した区画
Ｅ  自筆証書遺言の記載内容に関する遺言者の気持ちを記載する区画
Ｆ  最終頁
１  ミシン目
２  封筒
３  大きな封筒
４  名刺入れ
５  エンディングノートの名称
６  鍵穴
【図１】
2016199027.tif 000003
【図２】
2016199027.tif 000004